(57)【特許請求の範囲】
【請求項１】
被管理物の保管を行う保管手段を管理種別毎に有し、フロア上に設置される重要物管理装置であって、
入力された識別情報に基づいて使用者を特定する使用者特定手段と、
該使用者特定手段の特定結果に基づいて前記保管手段に対する前記被管理物の持ち出しおよび返却の可否を制御する制御手段と、
前記保管手段の前記被管理物の保管の有無を判定する判定手段と、
該判定手段による判定結果を表示する表示手段と、
を備え、
管理種別毎の前記保管手段は、それぞれコンポーネント化されており、
前記使用者特定手段、前記制御手段および前記表示手段を含む制御ユニットが、コンポーネント化されていて、
該制御ユニットに複数個の前記保管手段が選択的に組み合わせられて構成され、
前記保管手段と同じ大きさにコンポーネント化されたフリー空間形成体を有し、前記保管手段が配置されない部分を埋めるように前記フリー空間形成体が配置され、該フリー空間形成体が配置されたスペースには、該フリー空間形成体と交換する形で、後に前記保管手段を追加可能となっていることを特徴とする重要物管理装置。
【請求項２】
前記保管手段には、少なくとも大小異なる二つの大きさのものがあり、大きい保管手段の一つと、小さい保管手段を複数組み合わせたものとが同じ大きさとなることを特徴とする請求項１記載の重要物管理装置。
【請求項３】
前記保管手段は、耐火構造であることを特徴とする請求項１または２記載の重要物管理装置。
【請求項４】
前記被管理物の保管状況のダイヤグラムを作成するダイヤグラム作成手段を有し、
前記制御手段は、前記ダイヤグラムによる前記被管理物の保管状況と前記判定手段の判定による前記被管理物の保管状況との一致を判断する判断処理を行い、両保管状況に相違がある場合にその旨を前記表示手段に表示することを特徴とする請求項１乃至３のいずれか一項記載の重要物管理装置。  
【請求項５】
前記判断処理にて前記両保管状況に相違がある場合にその旨を管理者に報知する報知手段を備えたことを特徴とする請求項４記載の重要物管理装置。  
【請求項６】
前記被管理物には識別手段が設けられ、前記保管手段には前記識別手段を読み出す読出手段が設けられており、
前記判定手段は、前記読出手段による前記識別手段の読み出しの有無により、前記保管手段の前記被管理物の保管の有無を判定することを特徴とする請求項１乃至５のいずれか一項記載の重要物管理装置。
【発明の詳細な説明】
【技術分野】
【０００１】
本発明は、重要物を保管する重要物管理装置に関する。
【背景技術】
【０００２】
金融機関等においては、建屋に専用の金庫室を設け、この金庫室に重要物を保管するのが一般的であり、その中には、金庫室を移動可能な金庫函体で覆う技術がある（例えば、特許文献１参照）。
【先行技術文献】
【特許文献】
【０００３】
【特許文献１】特公昭６１−３０１１６号公報
【発明の概要】
【発明が解決しようとする課題】
【０００４】
しかしながら、専用の金庫室を建屋に構築するには、高額な設置コストが必要となってしまう。また、金庫室は密室状態となるため、セキュリティ上、専用の監視カメラシステムが必要であり、管理コストも増大してしまう。
【０００５】
したがって、本発明は、低コストで重要物を管理できる重要物管理装置の提供を目的とする。
【課題を解決するための手段】
【０００６】
上記目的を達成するために、請求項１に係る発明は、被管理物の保管を行う保管手段を管理種別毎に有し、フロア上に設置される重要物管理装置であって、入力された識別情報に基づいて使用者を特定する使用者特定手段と、該使用者特定手段の特定結果に基づいて前記保管手段に対する前記被管理物の持ち出しおよび返却の可否を制御する制御手段と、前記保管手段の前記被管理物の保管の有無を判定する判定手段と、該判定手段による判定結果を表示する表示手段と、を備えたことを特徴とする。
【０００７】
また、管理種別毎の前記保管手段は、それぞれコンポーネント化されており、前記使用者特定手段、前記制御手段および前記表示手段を含む制御ユニットが、コンポーネント化されていて、該制御ユニットに複数個の前記保管手段が選択的に組み合わせられて構成され、前記保管手段と同じ大きさにコンポーネント化されたフリー空間形成体を有し、前記保管手段が配置されない部分を埋めるように前記フリー空間形成体が配置され、該フリー空間形成体が配置されたスペースには、該フリー空間形成体と交換する形で、後に前記保管手段を追加可能となっていることを特徴とする。
【０００８】
請求項２に係る発明は、請求項１に係る発明において、前記保管手段には、少なくとも大小異なる二つの大きさのものがあり、大きい保管手段の一つと、小さい保管手段を複数組み合わせたものとが同じ大きさとなることを特徴とする。
【００１０】
請求項３に係る発明は、請求項１または２に係る発明において、前記保管手段は、耐火構造であることを特徴とする。
【００１１】
請求項４に係る発明は、請求項１乃至３のいずれか一項に係る発明において、前記被管理物の保管状況のダイヤグラムを作成するダイヤグラム作成手段を有し、前記制御手段は、前記ダイヤグラムによる前記被管理物の保管状況と前記判定手段の判定による前記被管理物の保管状況との一致を判断する判断処理を行い、両保管状況に相違がある場合にその旨を前記表示手段に表示することを特徴とする。  
【００１２】
請求項５に係る発明は、請求項４に係る発明において、前記判断処理にて前記両保管状況に相違がある場合にその旨を管理者に報知する報知手段を備えたことを特徴とする。  
【００１３】
請求項６に係る発明は、請求項１乃至５のいずれか一項に係る発明において、前記被管理物には識別手段が設けられ、前記保管手段には前記識別手段を読み出す読出手段が設けられており、前記判定手段は、前記読出手段による前記識別手段の読み出しの有無により、前記保管手段の前記被管理物の保管の有無を判定することを特徴とする。
【発明の効果】
【００１４】
請求項１に係る発明は、識別情報が入力されると、使用者特定手段が使用者を特定し、この特定結果に基づいて制御手段が保管手段に対する被管理物の持ち出しおよび返却の可否を制御する。一方で、判定手段が保管手段の被管理物の保管の有無を判定すると、この判定結果を表示手段に表示する。よって、上記した保管手段を管理種別毎に有してフロア上に設置されることにより、金庫室の代わりに重要物を管理することができるため、専用の金庫室を建屋に構築する場合と比べて、コストを大幅に低減することができる。また、フロアに設置されることから、衆人監視環境への設置や、設置先の部屋を監視する監視カメラシステムでの共用監視が可能となり、専用の監視カメラシステムを不要とすることができる。よって、この点からもコストを低減することができる。
【００１５】
また、管理種別毎の保管手段が、それぞれコンポーネント化されており、複数個の保管手段が選択的に組み合わせられて構成されるため、顧客毎に異なる要望に応じた管理種別の保管手段を装備することが容易にできる。
また、使用者特定手段、制御手段および表示手段を含む制御ユニットが、コンポーネント化されており、この制御ユニットに複数個の保管手段が選択的に組み合わせられて構成されるため、制御ユニットをも容易に装備することができる。
【００１６】
請求項２に係る発明によれば、大きい保管手段の一つと、小さい保管手段を複数組み合わせたものとが同じ大きさとなるため、大きさの異なる保管手段を容易に装備することができる。
【００１８】
請求項３に係る発明によれば、保管手段が耐火構造であるため、火災があっても被管理物を保管することができる。
【００１９】
請求項４に係る発明によれば、制御手段が、ダイヤグラムによる被管理物の保管状況と判定手段の判定による被管理物の保管状況との一致を判断する判断処理を行い、両保管状況に相違がある場合にその旨を表示手段に表示するため、被管理物の持ち出しおよび返却のタイミングの異常発生を表示手段を見た人に認識させることができる。
【００２０】
請求項５に係る発明によれば、判断処理にて両保管状況に相違がある場合に報知手段がその旨を管理者に報知するため、被管理物の持ち出しおよび返却のタイミングの異常発生を管理者に認識させることができる。
【００２１】
請求項６に係る発明によれば、判定手段は、保管手段に設けられた読出手段による、被管理物に設けられた識別手段の読み出しの有無により、保管手段の被管理物の保管の有無を判定するため、保管手段の被管理物の保管の有無を正確に管理することができる。
【図面の簡単な説明】
【００２２】
【図１】本発明の一実施形態に係る重要物管理装置の設置状態を示す平面図である。
【図２】本発明の一実施形態に係る重要物管理装置を示す正面図である。
【図３】本発明の一実施形態に係る重要物管理装置および被管理物を示すブロック図である。
【発明を実施するための形態】
【００２３】
本発明の一実施形態に係る重要物管理装置を図面を参照して以下に説明する。
本実施形態の重要物管理装置１１は、図１に示すように、金融機関等の建屋１２の執務室１３のフロア１４上に別途設置されるオープン型のものである。
【００２４】
重要物管理装置１１は、図２に示すように、コンポーネント化された複数個の耐火構造の保管体（保管手段）２１が選択的に組み合わせられて構成される装置本体２２を備えている。保管体２１は、図３に示す被管理物２３の保管を行うもので、管理種別毎に設けられている。保管体２１は、大小異なる二つの大きさのものがあり、大きいものには、縦長および横長の二種類がある。
【００２５】
具体的に、装置本体２２は、図２に示すように、前面側に引き出される引き出し式であって被管理物２３としての図３に示す通帳２３（ａ）を収納する保管部２４（Ａ）が上下に二段設けられた小の保管体２１（Ａ）と、前面側に引き出される引き出し式であって被管理物２３としての大束紙幣２３（ｂ）、小束紙幣２３（ｃ）および棒金２３（ｄ）を収納する保管部２４（Ｂ）が上下に二段設けられた横長の大の保管体２１（Ｂ）と、前面側に引き出される引き出し式であって被管理物２３としての硬貨収納袋２３（ｅ）を収納する保管部２４（Ｃ）が上下に二段設けられた横長の大の保管体２１（Ｃ）とを有している。
【００２６】
また、装置本体２２は、個々に対応する被管理物２３としての鍵２３（ｆ）を保持する保管部２４（Ｄ）が前面側に複数設けられた小の保管体２１（Ｄ）と、前面側に引き出される引き出し式であって個々に対応する被管理物２３としてのＩＤカード２３（ｇ）を収納する保管部２４（Ｅ）が複数設けられた小の保管体２１（Ｅ）と、前面側に引かれて揺動する片側扉式であって、図示略の鍵を保持する鍵保持部が複数設けられた被管理物２３としての鍵管理機２３（ｈ）を収納する保管部２４（Ｆ）が一カ所のみ設けられた縦長の大の保管体２１（Ｆ）とを有している。
【００２７】
また、装置本体２２は、前面側に引かれて揺動する片側扉式の保管部２４（Ｇ）が一カ所のみ設けられた小の保管体２１（Ｇ）と、前面側に引き出される引き出し式の保管部２４（Ｈ）が上下に二段設けられた小の保管体２１（Ｈ）と、前面側に引かれて揺動する両側扉式の保管部２４（Ｉ）が一カ所のみ設けられた小の保管体２１（Ｉ）と、前面側に引かれて揺動する扉式および前面側に引き出される引き出し式の二種類の保管部２４（Ｊ）が組み合わされた小の保管体２１（Ｊ）と、前面側に引かれて揺動する片側扉式の保管部２４（Ｋ）が一カ所のみ設けられた縦長の大の保管体２１（Ｋ）と、前面側に引き出される引き出し式の保管部２４（Ｌ）が上下に二段設けられた縦長の大の保管体２１（Ｌ）とを有している。
【００２８】
ここで、小の保管体２１は、正面視正方形をなしており、大の保管体２１は、小の保管体２１と奥行きは同じであるものの、その一つが、小の保管体２１を複数、具体的には二つ組み合わせたものと正面視が同じ大きさとなっている。よって、大の縦長の保管体２１に対して同じ高さ範囲に二つの小の保管体２１を上下に配置するとこれらの高さが一致することになり、大の横長の保管体２１に対して同じ幅範囲に二つの小の保管体２１を左右に配置するとこれらの幅が一致することになる。保管体２１は、少なくとも大小異なる二つの大きさのものがあれば良く、例えば、大小異なる三つ以上の大きさのものがあっても良い。大小異なる三つの大きさの保管体２１がある場合、大の保管体２１を小の保管体２１の三つを並べた大きさとし、中の保管体２１を小の保管体２１の二つを並べた大きさとしたり、大の保管体２１を小の保管体２１の四つを並べた大きさとし、中の保管体２１を小の保管体２１の二つを並べた大きさとしたりすることができる。
【００２９】
各保管部２４には、それぞれを閉状態でロックする電磁式の図３に示すロック機構２７が設けられており、このロック機構２７は、ロック解除信号が入力されると保管部２４を開放可能にロックを解除する一方、ロック信号が入力されると保管部２４を閉状態でロックする。また、各保管部２４には、それぞれの開閉状態を検出する開閉検知センサ２８が設けられている。
【００３０】
また、各被管理物２３には、それぞれを識別するための識別情報が記憶されたＩＣタグ（識別手段）２９が貼付されており、各保管部２４には、それぞれ、各保管部２４内にあるＩＣタグ２９のみから識別情報を読み出すＩＣタグリーダ（読出手段）３０が設けられている。つまり、このＩＣタグリーダ３０は、被管理物２３に設けられたＩＣタグ２９の識別情報の読み出しの有無により、保管体２１の各保管部２４の個々の被管理物２３の保管の有無および特定を行う。
【００３１】
具体的に、通帳２３（ａ）にはＩＣタグ２９（ａ）が貼付されており、通帳２３（ａ）を保管する保管体２１（Ａ）の各保管部２４（Ａ）には、それぞれロック機構２７（Ａ）、開閉検知センサ２８（Ａ）およびＩＣタグリーダ３０（Ａ）が設けられている。同様に、大束紙幣２３（ｂ）にはＩＣタグ２９（ｂ）が、小束紙幣２３（ｃ）にはＩＣタグ２９（ｃ）が、棒金２３（ｄ）にはＩＣタグ２９（ｄ）が貼付されており、これらを保管する各保管部２４（Ｂ）には、それぞれロック機構２７（Ｂ）、開閉検知センサ２８（Ｂ）およびＩＣタグリーダ３０（Ｂ）が設けられている。同様に、硬貨収納袋２３（ｅ）にはＩＣタグ２９（ｅ）が貼付されており、硬貨収納袋２３（ｅ）を保管する各保管部２４（Ｃ）には、それぞれロック機構２７（Ｃ）、開閉検知センサ２８（Ｃ）およびＩＣタグリーダ３０（Ｃ）が設けられている。
【００３２】
鍵２３（ｆ）にはＩＣタグ２９（ｆ）が貼付されており、鍵２３（ｆ）を保管する各保管部２４（Ｄ）には、それぞれ鍵２３（ｆ）を装着状態である閉状態でロックするロック機構２７（Ｄ）、装着状態である閉状態にあるか取り外し可能な開状態にあるかを検知する開閉検知センサ２８（Ｄ）およびＩＣタグリーダ３０（Ｄ）が設けられている。
【００３３】
ＩＤカード２３（ｇ）にはＩＣタグ２９（ｇ）が貼付されており、ＩＤカード２３（ｇ）を保管する各保管部２４（Ｅ）には、それぞれロック機構２７（Ｅ）、開閉検知センサ２８（Ｅ）およびＩＣタグリーダ３０（Ｅ）が設けられている。鍵管理機２３（ｈ）にはＩＣタグ２９（ｈ）が貼付されており、鍵管理機２３（ｈ）を保管する保管部２４（Ｆ）には、ロック機構２７（Ｆ）、開閉検知センサ２８（Ｆ）およびＩＣタグリーダ３０（Ｆ）が設けられている。
【００３４】
同様にして、保管体２１（Ｇ）の保管部２４（Ｇ）には、それぞれロック機構２７（Ｇ）、開閉検知センサ２８（Ｇ）およびＩＣタグリーダ３０（Ｇ）が設けられ、保管部２４（Ｇ）に保管される被管理物２３（ｉ）には、ＩＣタグ２９（ｉ）が貼付されている。保管体２１（Ｈ）の保管部２４（Ｈ）には、それぞれロック機構２７（Ｈ）、開閉検知センサ２８（Ｈ）およびＩＣタグリーダ３０（Ｈ）が設けられ、保管部２４（Ｈ）に保管される被管理物２３（ｊ）には、ＩＣタグ２９（ｊ）が貼付されている。保管体２１（Ｉ）の保管部２４（Ｉ）には、それぞれロック機構２７（Ｉ）、開閉検知センサ２８（Ｉ）およびＩＣタグリーダ３０（Ｉ）が設けられ、保管部２４（Ｉ）に保管される被管理物２３（ｋ）には、ＩＣタグ２９（ｋ）が貼付されている。保管体２１（Ｊ）の保管部２４（Ｊ）には、それぞれロック機構２７（Ｊ）、開閉検知センサ２８（Ｊ）およびＩＣタグリーダ３０（Ｊ）が設けられ、保管部２４（Ｊ）に保管される被管理物２３（ｌ）には、ＩＣタグ２９（ｌ）が貼付されている。保管体２１（Ｋ）の保管部２４（Ｋ）には、それぞれロック機構２７（Ｋ）、開閉検知センサ２８（Ｋ）およびＩＣタグリーダ３０（Ｋ）が設けられ、保管部２４（Ｋ）に保管される被管理物２３（ｍ）には、ＩＣタグ２９（ｍ）が貼付されている。保管体２１（Ｌ）の保管部２４（Ｌ）には、それぞれロック機構２７（Ｌ）、開閉検知センサ２８（Ｌ）およびＩＣタグリーダ３０（Ｌ）が設けられ、保管部２４（Ｌ）に保管される被管理物２３（ｎ）には、ＩＣタグ２９（ｎ）が貼付されている。
【００３５】
また、重要物管理装置１１は、前面側に使用者により操作入力が行われる操作部（使用者特定手段，ダイヤグラム作成手段）３５および使用者に表示を行う表示部（表示手段）３６を有し、重要物管理装置１１を制御する制御部（使用者特定手段，判定手段，制御手段，ダイヤグラム作成手段，報知手段）３７と、制御プログラム等を記憶するＲＯＭ３８と、管理データ等を記憶するＲＡＭ３９とを有する図２に示す一つの制御ユニット４０を有している。この制御ユニット４０は、操作部３５、表示部３６、制御部３７、ＲＯＭ３８およびＲＡＭ３９を含んでコンポーネント化されており、小の保管体２１と正面視で同じ大きさをなしている。そして、重要物管理装置１１は、この制御ユニット４０に複数個の保管体２１が選択的に組み合わせられて構成されるようになっている。
【００３６】
また、重要物管理装置１１は、小の保管体２１と同じ大きさにコンポーネント化されたフリー空間形成体４５を有している。ここで、重要物管理装置１１は、上記した制御ユニット４０に複数個の保管体２１が選択的に組み合わせられて全体として正面視が矩形状をなすことになり、その際に、制御ユニット４０も保管体２１も配置されない部分を埋めるようにフリー空間形成体４５が配置される。フリー空間形成体４５は枠状をなしており、内側が空間となっている。フリー空間形成体４５が配置されたスペースには、これと交換する形で、後に保管体２１を追加可能となっている。
【００３７】
そして、制御ユニット４０と、複数個の保管体２１およびフリー空間形成体４５の適宜のものとが、前面を揃えた状態で、隣り合うもの同士が図示略の連結具で連結されることで、正面視矩形状をなす装置本体２２が組み上がることになる。
【００３８】
具体的に、図２に示す装置本体２２には、通帳２３（ａ）を収納する小の保管体２１（Ａ）が正面から見て左側の上側に上下二段に設けられており、その下側に縦長の大の保管体２１（Ｌ）が一つ設けられている。また、これら保管体２１（Ａ）および保管体２１（Ｌ）の右隣に、縦長の大の保管体２１（Ｋ）が上下二段に設けられ、これらの右隣に、上側から順に、制御ユニット４０、フリー空間形成体４５、小の保管体２１（Ｈ）、小の保管体２１（Ｇ）が設けられている。また、これらの右隣に、上側から順に、小の保管体２１（Ｄ）、小の保管体２１（Ｅ）、小の保管体２１（Ｊ）、小の保管体２１（Ｉ）が設けられ、これらの右隣に、上側から順に、小の保管体２１（Ｄ）、小の保管体２１（Ｅ）、横長の大の保管体２１（Ｂ）、横長の大の保管体２１（Ｃ）が設けられている。小の保管体２１（Ｄ）、小の保管体２１（Ｅ）の右隣であって、横長の大の保管体２１（Ｂ）の上側に、縦長の大の保管体２１（Ｆ）が設けられている。
【００３９】
さらに、この装置本体２２の後側には、各保管体２１と制御ユニット４０とを通信可能に接続する通信ケーブル等を配索するための図１に示す配索スペース形成カバー４７が図示略の連結具で取り付けられることで重要物管理装置１１が構成されている。なお、高さおよび横幅の異なる配索スペース形成カバー４７が複数種類準備されることになり、いずれかの配索スペース形成カバー４７と正面視の大きさが合うように、制御ユニット４０と、複数個の保管体２１とを組み合わせ、必要によりフリー空間形成体４５をも組み合わせる。例えば、図２に示す、小の保管体２１四つ分の高さおよび小の保管体２１六つ分の幅を有する装置本体２２の背面を覆う、小の保管体２１四つ分の高さおよび小の保管体２１の六つ分の幅を有する図１に示す配索スペース形成カバー４７の他に、例えば、小の保管体２１四つ分の高さおよび小の保管体２１の五つ分の幅を有する幅を有する配索スペース形成カバー４７、小の保管体２１四つ分の高さおよび小の保管体２１の四つ分の幅を有する幅を有する配索スペース形成カバー４７、小の保管体２１四つ分の高さおよび小の保管体２１の三つ分の幅を有する幅を有する配索スペース形成カバー４７、小の保管体２１三つ分の高さおよび小の保管体２１の六つ分の幅を有する幅を有する配索スペース形成カバー４７等を、必要に応じて準備する。
【００４０】
上記のようにして組み立てられた重要物管理装置１１が配索スペース形成カバー４７を壁に近接させて例えば執務室１３のフロア１４上に設置されることになり、これにより、重要物管理装置１１の制御ユニット４０の前面および複数個の保管体２１の前面が執務室１３の室内側に向いて設置されることになる。なお、重要物管理装置１１は必要により下部に転動ロック付きのキャスタ４８が取り付けられることになり、フロア１４上での移設が可能になっている。
【００４１】
このような重要物管理装置１１においては、使用に当たって、使用者が操作部３５に、使用者ＩＤ番号の入力や使用者ＩＤカードの走査により、使用者識別情報を入力することになる。使用者識別情報が入力されると、制御部３７は、ＲＡＭ３９と照らし合わせてこの入力された使用者識別情報と一致する使用者識別情報がＲＡＭ３９に記憶されているか否かを判断する。制御部３７は、入力された使用者識別情報と一致する使用者識別情報がＲＡＭ３９に記憶されていなければ、入力された使用者識別情報が適正でない旨を表示部３６に表示させる。
【００４２】
制御部３７は、入力された使用者識別情報と一致する使用者識別情報がＲＡＭ３９に記憶されていれば、使用者がこの使用者識別情報を有する使用者であることを特定することになり、この特定された使用者識別情報に関連付けてＲＡＭ３９に記憶されている持ち出し可能な被管理物２３の種別情報を読み出し、これら種別情報の中から、使用者に持ち出す被管理物２３の種別情報の選択入力を促す表示を表示部３６に表示させる。ここで、この使用者識別情報に関連してＲＡＭ３９に記憶された持ち出し可能な被管理物２３の種別情報は、例えば使用者識別情報が一般職員である場合と管理職員である場合とで異なる。
【００４３】
上記の表示にしたがって、使用者が持ち出す被管理物２３の種別情報の選択入力を操作部３５に入力すると、制御部３７は、この入力された種別情報の被管理物２３を収納している保管体２１の保管部２４に対し被管理物２３の持ち出しおよび返却を許可し、そのロック機構２７にロック解除信号を出力してロックを解除する。つまり、制御部３７は、操作部３５に入力された使用者の特定結果である使用者識別情報に基づいて保管体２１の保管部２４に対する被管理物２３の持ち出しおよび返却の可否を制御する。なお、この入力された種別情報の被管理物２３を収納している保管体２１が保管部２４を複数有している場合には、それぞれのロック機構２７にロック解除信号を出力してロックを解除することになる。
【００４４】
ロックが解除された保管体２１の保管部２４に対して、使用者がこれを開放して、被管理物２３の持ち出しおよび返却の少なくともいずれか一方を行い、これを閉じる。すると、この保管部２４に設けられた開閉検知センサ２８がこの保管部２４が閉状態になったことを検知することになり、これにより、制御部３７は、この保管部２４に設けられたロック機構２７にロック信号を出力して保管体２１の保管部２４をロックする。なお、ロックが解除された保管体２１が保管部２４を複数有している場合には、すべての保管部２４が閉状態になったことを各開閉検知センサ２８で検出すると、すべての保管部２４のロック機構２７にロック信号を出力してこれらをロックすることになる。
【００４５】
そして、上記のようにして保管体２１の保管部２４の開閉が行われると、制御部３７は、開閉が行われた保管部２４に対してＩＣタグリーダ３０でＩＣタグ２９から識別情報を読み取り、この識別情報に基づく保管部２４内の被管理物２３の残存状況を日時情報および使用者識別情報とともにＲＡＭ３９に記憶する。制御部３７は、この残存状況と、ＲＡＭ３９に記憶されている今回の開閉の直前の保管部２４内の被管理物２３の残存状況とから、保管体２１の被管理物２３の保管の有無である、開閉された保管部２４の被管理物２３の装置外への持ち出しおよび装置への返却の判定を行い、判定結果を表示部３６に表示させる。つまり、制御部３７は、いずれの識別情報を有する被管理物２３が持ち出されたか、あるいは返却されたかを判定し、日時情報および使用者識別情報とともにＲＡＭ３９に記憶するとともに、被管理物２３の識別情報と、持ち出されたか、返却されたかの区別とを表示部３６に表示させる。なお、このとき、制御部３７は、保管体２１のいずれかに、対応する管理種別とは異なる管理種別の被管理物２３が保管されている場合には、保管体２１に異種の被管理物２３が保管されている旨をこの保管体２１の識別情報とともに表示部３６に表示させ、アラームを発生させる。
【００４６】
ここで、制御部３７は、ＲＡＭ３９に記憶された上記の情報を、操作部３５への任意のタイミングでの別途の管理操作入力により、日時情報別に表示部３６に表示させるようになっている。
【００４７】
例えば、制御部３７は、操作部３５へ任意のタイミングで別途照会操作入力が行われて、保管体２１（あるいは管理種別）の指定操作入力が行われると、指定された保管体２１（あるいは管理種別）について、それまでＩＣタグリーダ３０でＩＣタグ２９から読み取った識別情報に基づいてＲＡＭ３９に記憶されている、その時点での被管理物２３の各識別情報毎の保管の有無を判定して、その判定結果、つまりいずれの識別情報の被管理物２３が保管されていて、いずれの識別情報の被管理物２３が持ち出されているかを表示部３６に表示させる。あるいは、その時点でＩＣタグリーダ３０でＩＣタグ２９を読み込んで、被管理物２３の各識別情報毎の保管の有無を判定して、その判定結果を表示部３６に表示させる。
【００４８】
また、制御部３７は、操作部３５へ任意のタイミングで別途照会操作入力が行われて、被管理物２３の識別情報の指定操作入力が行われると、それまでＩＣタグリーダ３０でＩＣタグ２９から読み取った識別情報に基づいてＲＡＭ３９に記憶されている、その時点での被管理物２３の保管の有無を判定して、その判定結果、つまりこの被管理物２３が保管されているか持ち出されているかを表示部３６に表示させる。あるいは、その時点でＩＣタグリーダ３０でＩＣタグ２９を読み込んで、被管理物２３の保管の有無を判定して、その判定結果を表示部３６に表示させる。
【００４９】
また、操作部３５への操作入力で、ダイヤグラム作成プログラムの実行が指定されると、制御部３７は、操作部３５への操作入力に基づいて、被管理物２３の保管状況を時系列で示すダイヤグラムを各保管体２１毎に作成することになり、このダイヤグラムをＲＡＭ３９に記憶する。
【００５０】
そして、制御部３７は、所定の時間間隔で、ダイヤグラムによる被管理物２３の保管状況と、それまでＩＣタグリーダ３０でＩＣタグ２９から読み取った識別情報に基づいてＲＡＭ３９に記憶されている、その時点での被管理物２３の各識別情報毎の保管の有無である保管状況との一致を判断する判断処理を行い、両保管状況に相違がある場合に、その旨を、表示部３６に表示するとともに管理者の携帯電話（報知手段）５１および管理ＰＣ（報知手段）５２にメールで送信する。これにより、保管状況の相違解消を促すことになる。
【００５１】
つまり、例えば、ダイヤグラム上、営業開始前の所定の時刻までに鍵管理機２３（ｈ）が保管体２１（Ｆ）の保管部２４（Ｆ）から持ち出されていなければならない場合に、この所定の時刻までに鍵管理機２３（ｈ）が保管体２１（Ｆ）の保管部２４（Ｆ）から持ち出されていないという不一致があれば、その旨を表示部３６に表示するとともに管理者の携帯電話５１および管理ＰＣ５２にメールで送信する。また、ダイヤグラム上、営業終了後の所定の時刻までに鍵管理機２３（ｈ）が保管体２１（Ｆ）の保管部２４（Ｆ）に返却されていなければならない場合に、この所定の時刻までに鍵管理機２３（ｈ）が保管体２１（Ｆ）の保管部２４（Ｆ）に返却されていないという不一致があれば、その旨を表示部３６に表示するとともに管理者の携帯電話５１および管理ＰＣ５２にメールで送信する。同様にして、ダイヤグラム上、営業終了後の所定の時刻までにすべての鍵２３（ｆ）が保管体２１（Ｄ）の保管部２４（Ｄ）に返却されていなければならない場合に、この所定の時刻までにすべての鍵２３（ｆ）が保管体２１（Ｄ）の保管部２４（Ｄ）に返却されていないという不一致があれば、その旨を表示部３６に表示するとともに管理者の携帯電話５１および管理ＰＣ５２にメールで送信する。また、ダイヤグラム上、営業終了後の所定の時刻までにすべてのＩＤカード２３（ｇ）が保管体２１（Ｅ）の保管部２４（Ｅ）に返却されていなければならない場合に、この所定の時刻までにすべてのＩＤカード２３（ｇ）が保管体２１（Ｅ）の保管部２４（Ｅ）に返却されていないという不一致があれば、その旨を表示部３６に表示するとともに管理者の携帯電話５１および管理ＰＣ５２にメールで送信する。また、営業開始前の所定の時刻までに本店に配送されるべき被管理物２３が保管体２１の保管部２４から持ち出されていなければならない場合に、この所定の時刻までにこの被管理物２３が保管体２１の保管部２４から持ち出されていないという不一致があれば、その旨を表示部３６に表示するとともに管理者の携帯電話５１および管理ＰＣ５２にメールで送信する。
【００５２】
以上に述べた本実施形態の重要物管理装置１１によれば、操作部３５に使用者識別情報が入力されると、制御部３７は、使用者を特定し、この特定結果に基づいて保管体２１に対する被管理物２３の持ち出しおよび返却の可否を制御する。一方で、ＩＣタグリーダ３０が、保管体２１の被管理物２３の保管の有無を判定すると、制御部３７は、この判定結果を表示部３６に表示する。よって、重要物管理装置１１は、上記した保管体２１を管理種別毎に有してフロア１４上に設置されることにより、金庫室の代わりに重要物を管理することができるため、専用の金庫室を建屋１２に構築する場合と比べて、コストを大幅に低減することができる。また、フロア１４に設置されることから、衆人監視環境への設置や、設置先の部屋を監視する監視カメラシステムでの共用監視が可能となり、専用の監視カメラシステムを不要とすることができる。よって、この点からもコストを低減することができる。
【００５３】
また、管理種別毎の保管体２１が、それぞれコンポーネント化されており、複数個の保管体２１が選択的に組み合わせられて構成されるため、顧客毎に異なる要望に応じた管理種別の保管体２１を装備することが容易にできる。しかも、管理種別の保管体２１を重要物管理装置１１内において顧客が要望する任意の位置に設置することができる。
【００５４】
また、大きい保管体２１の一つと、小さい保管体２１を複数組み合わせたものとが同じ大きさとなるため、大きさの異なる保管体２１を容易に装備することができる。よって、上記のように、大きな鍵管理機２３（ｈ）を大きな保管体２１に、小さい通帳２３（ａ）を小型の保管体２１に保管する等、顧客の要望に応じて効率良く被管理物２３を保管することができる。
【００５５】
また、操作部３５、表示部３６および制御部３７を含む制御ユニット４０が、コンポーネント化されており、この制御ユニット４０に複数個の保管体２１が選択的に組み合わせられて構成されるため、制御ユニット４０をも容易に装備することができる。しかも、制御ユニット４０を重要物管理装置１１内において顧客が要望する任意の位置に設置することができる。
【００５６】
また、保管体２１が耐火構造であるため、火災があっても被管理物２３を保管することができる。
【００５７】
また、制御部３７が、ダイヤグラムによる被管理物２３の保管状況とＩＣタグリーダ３０の判定による被管理物２３の保管状況との一致を判断する判断処理を行い、両保管状況に相違がある場合にその旨を表示部３６に表示するため、被管理物２３の持ち出しおよび返却のタイミングの異常発生を表示部３６を見た人に認識させることができる。つまり、被管理物２３は、その用途および目的によって保管／使用の時間帯がそれぞれ異なるものがあるが、このような場合でも、ダイヤグラムと相違して現在保管されているべき被管理物２３が持ち出されていないか、逆に現在使用されているべき被管理物２３が保管されたままになっていないかを、ほぼリアルタイムに認識でき、その対象となる被管理物２３も容易に特定できる。
【００５８】
また、判断処理にて両保管状況に相違がある場合に、制御部３７が、携帯電話５１および管理ＰＣ５２を介してその旨を管理者に報知するため、被管理物２３の持ち出しおよび返却のタイミングの異常発生を管理者に認識させることができる。したがって、管理者は速やかに担当者へ是正の処置を行わせることができる。
【００５９】
また、制御部３７が、保管体２１に設けられたＩＣタグリーダ３０による、被管理物２３に設けられたＩＣタグ２９の読み出しの有無により、保管体２１の被管理物２３の保管の有無を判定するため、保管体２１の被管理物２３の保管の有無を正確に管理することができる。しかも、所定の管理種別の保管体２１に、所定とは異なる管理種別の被管理物２３が保管されていないか等をも判定できる。
【符号の説明】
【００６０】
１１  重要物管理装置
１４  フロア
２１  保管体（保管手段）
２２  装置本体
２３  被管理物
２９  ＩＣタグ（識別手段）
３０  ＩＣタグリーダ（読出手段）
３５  操作部（使用者特定手段，ダイヤグラム作成手段）
３６  表示部（表示手段）
３７  制御部（使用者特定手段，判定手段，制御手段，ダイヤグラム作成手段，報知手段）
４０  制御ユニット
５１  携帯電話（報知手段）
５２  管理ＰＣ（報知手段）
【図１】
0005456572.tif 000002
【図２】
0005456572.tif 000003
【図３】
0005456572.tif 000004